(57)【要約】【課題】電話回線の選択信号種別や通報先オフフックの判定を誤判定しても通報できる通報装置を提供することを目的とする。【解決手段】回線種別判断部７は、ダイヤリング部４から選択信号種別をプッシュボタン信号で選択信号を１桁送出後に可聴音検出部５でダイヤルトーンを所定時間検出しなかった場合は残りの選択信号をプッシュボタン信号で送出し、ダイヤルトーンを検出した場合は選択信号種別をダイヤルパルス信号に切り替えて最初から選択信号を送出する。【選択図】図１
2006237795.tif 000002
【特許請求の範囲】
【請求項１】
回線のループ閉成開放を行う回線インピーダンス制御部と、あらかじめ設定されている通報先電話番号の選択信号を送出するダイヤリング部と、加入者線信号可聴音であるリングバックトーンやダイヤルトーンやビジートーンを検出する可聴音検出部と、前記ダイヤリング部から選択信号種別をプッシュボタン信号で、選択信号を１桁送出後に前記可聴音検出部でダイヤルトーンを所定時間検出しなかった場合は残りの選択信号をプッシュボタン信号で送出し、ダイヤルトーンを検出した場合は選択信号種別をダイヤルパルス信号に切り替えて最初から選択信号を送出する回線種別判断部と、選択信号送出完了後も引き続き前記可聴音検出部で加入者線信号可聴音の監視の継続を行う監視継続部と、前記回線経由で情報を出力する情報出力部とを備えた通報装置。
【請求項２】
監視継続部は監視継続中に可聴音検出部でダイヤルトーンやビジートーンを検出したら通報を中断する請求項１記載の通報装置。
【請求項３】
回線種別判断部はリトライの通報の際には選択信号種別を変更して送出する請求項１記載の通報装置。
【発明の詳細な説明】
【技術分野】
【０００１】
本発明は緊急コール、家屋への侵入検知、家屋、ビルに設置した火災やガス漏れなどの検知機器からの情報、若しくはその設備、機器、家電製品等の異常状態や動作状態又は病人、独居老人等の容態、様子等の情報を公衆回線網を介して通報先に伝える通報装置に関するものである。
【背景技術】
【０００２】
通常、一般の電話回線は回線契約に応じてプッシュボタン信号かダイヤルパルス信号のどちらかしか受け付けないようになっている。この電話回線に接続された通報装置が通報のため、ダイヤリングすると電話回線との選択信号種別が合致していた場合は通報先の相手側では呼出信号によりベルが鳴動して着信が報知される。次に通報先の相手が送受話器をオフフックして着信に応答すると、電話局側の交換機は発呼側の回線の極性を反転するので、発呼側の通報装置はこの極性反転を検出することにより、通報先が着信応答したこと、即ち通話可能となったことを識別し、通報メッセージの送出等の動作に移行することができる。
【０００３】
ところが、構内ＰＢＸ回線、ＩＳＤＮ回線、着信無料回線又は移動無線電話回線を介して、通報を発した場合、それらの回線では、通報先が着信に対して送受話器のオフフックにより応答しても、発呼側である通報装置の回線には、着信応答を示す極性反転信号が返送されないことがあるため、通報装置では、通報先相手側が着信に応答したかどうかを、極性反転の検出だけでは認識することができない。
【０００４】
従って、従来この種の通報装置は、ダイヤル信号送出回路と、リングバックトーンの周波数成分の少なくとも１つを検出するトーン検出回路と、複数個のリングバックトーンの断続パターンを記憶する記憶装置と、主制御装置とを備え、主制御装置は、トーン検出回路から出力されるリングバックトーンの断続パターンと記憶装置に記憶された複数個のリングバックトーンの断続パターンとを比較照合し、一致した場合に一致信号を出力するリングバックトーン比較照合部と、リングバックトーン比較照合部から一致信号が出力され、且つリングバックトーンを検出するトーン検出回路からの出力によりリングバックトーンの開始を検出することで、電話回線がプッシュボタン信号対応かダイヤルパルス信号対応かの確認ができた。
【０００５】
そして、通報先の着信応答を認識する着信応答認識部とを有しており、通報先相手側が着信に応答したかどうかの判定も可能としていた（例えば、特許文献１参照）。
【０００６】
特許文献１に記載された従来の通報装置は、図２に示すように、ダイヤル信号送出回路１０１、リングバックトーン及びビジートーンの４００Ｈｚの信号成分を検出するトーン検出回路１０２、電話回線の極性反転を検出する極性反転検出回路１０３、ＰＢ信号であるＤＴＭＦ信号を検出するＤＴＭＦ検出回路１０４、主制御装置１０５、リングバックトーン断続パターン比較照合部１０５−１、着信応答認識部１０５−２、ビジートーン断続パターン比較照合部１０５−３、リトライ処理部１０５−４、バックアップ処理部１０５−５、記憶装置１０６、リングバックトーン断続パターンを記憶するエリア１０６−１、ビジートーン断続パターンを記憶するエリア１０６−２、表示器１０７、外部警報機器１０８で構成されている。
【０００７】
緊急事態が発生し、この通報装置が起動されると、ダイヤル信号送出回路１０１は予め設定されている通報先の電話番号をＰＢ信号またはダイヤルパルス信号で送出する。
【０００８】
トーン検出回路１０２は通報先が呼び出されている期間送出されるリングバックトーンを検出し、その検出出力を主制御装置１０５のリングバックトーン断続パターン比較照合部１０５−１に送出する。リングバックトーン断続パターン比較照合部１０５−１はトーン検出回路１０２の検出出力のパターンと記憶装置１０６に記憶されているリングバックトーン断続パターンとを照合し、一致した場合に一致信号を出力する。
【０００９】
着信応答認識部１０５−２はリングバックトーン断続パターン比較照合部１０５−１から一致信号が出力され、且つ前記トーン検出回路１０２からの出力によりリングバックトーンの停止を検出することにより、電話回線ダイヤル信号種別と通報先の着信応答を認識する。
【００１０】
リングバックトーン断続パターンの比較照合及びリングバックトーンの停止検出により電話回線ダイヤル信号種別と通報先の着信応答を認識すると、通報メッセージの送出等の動作に移ることとなるが、通報先の被呼者が呼出信号によるベル鳴動とほぼ同時に送受話器をオフフックすると、リングバックトーンが短時間しか送出されず、比較照合による一致信号が出力されない場合がある。
【００１１】
又リングバックトーンの断続パターンが予め記憶されたパターンと異なるものであったため比較照合による一致信号が出力されない場合があるので、着信応答認識部１０５−２は、ダイヤル信号送出後、極性反転検出回路３からの極性反転出力又はＤＴＭＦ検出回路４からの通話開始又はメッセージ要求を示す信号の検出出力によっても、着信応答を認識する。
【００１２】
このように極性反転が行なわれる回線を介して通報する場合、極性反転検出回路１０３からの極性反転出力により通報先の着信応答を認識することができる。
【００１３】
又、極性反転が行なわれない回線を介して通報した場合、通報先がＤＴＭＦ信号による通話開始又はメッセージ要求を示す信号を送出するときは、ＤＴＭＦ検出回路４からの通話開始又はメッセージ要求を示す信号の検出出力により、通報先の着信応答を認識することができる。
【００１４】
リングバックトーン断続パターンの比較照合及びリングバックトーンの停止検出による電話回線ダイヤル信号種別と通報先の着信応答認識、極性反転検出出力による着信応答認識又は通話開始又はメッセージ要求を示すＤＴＭＦ信号の検出出力による着信応答認識のいずれによっても着信応答が認識されない場合及び通報先が話中であることを認識した場合、リトライ処理部１０５−４により通報先電話番号に対して再発呼による再通報動作を行う。通報先が話中であることの認識はビジートーン断続パターン比較照合部１０５−３によって行う。
【００１５】
ビジートーン断続パターン比較照合部１０５−３は、トーン検出回路１０２の検出出力パターンと記憶装置１０６に記憶されているビジートーン断続パターンとを比較照合し、一致した場合に一致信号を出力する。
【００１６】
前記着信応答認識部１０５−２により着信応答が認識されず、且つ前記ビジートーン断続パターン比較照合部１０５−３から一致信号が出力された場合、及びダイヤル信号送出後所定時間以内に前記着信応答認識部１０５−２により着信応答が認識されない場合、リトライ処理部１０５−４は所定回数、通報先電話番号に対して再発呼による再通報動作を行う。
【特許文献１】特開平１１−２１５２５７号公報
【発明の開示】
【発明が解決しようとする課題】
【００１７】
しかしながら、通報装置が構内ＰＢＸ回線、ＩＳＤＮ回線、着信無料回線又は移動無線電話回線に接続されている場合、フリーダイヤルや１１９番等の発信側に課金されない通報先に通報する場合、通報先への着信に対して送受話器のオフフックにより応答しても、発呼側である通報装置の回線には、着信応答を示す極性反転信号が返送されない。
【００１８】
又、呼出し時に発呼側へ発生するリングバックトーンの周期は３秒でその間のトーン信号は１秒間しか出ないため、通報先で呼出し開始直後に例えば電話機のベルの鳴動が１回鳴ってすぐにオフフックした場合、リングバックトーンは通報先の電話機呼出し信号とは同期してないのでタイミングによっては発呼側つまり通報装置側ではリングバックトーンの検出ができないまま、通報先と繋がってしまうことがある。
【００１９】
前記従来の構成ではこのような状況が重なった場合には、極性反転の検出もできないし、リングバックトーンの検出もできないため、電話回線選択信号種別が正しいかどうかも不明で、かつ通報先でオフフックされたことが認識できないという課題を有していた。
【００２０】
本発明は、前記従来の課題を解決するもので、電話回線選択信号種別や通報先のオフフック検出を自動判定でき、自動判定が万が一間違っていた場合は通報ををやり直すこともできる通報装置を提供することを目的とする。
【課題を解決するための手段】
【００２１】
前記従来の課題を解決するために、本発明の通報装置は、回線のループ閉成開放を行う回線インピーダンス制御部と、あらかじめ設定されている通報先電話番号の選択信号を送出するダイヤリング部と、加入者線信号可聴音であるリングバックトーンやダイヤルトーンやビジートーンを検出する可聴音検出部と、前記ダイヤリング部から選択信号種別をプッシュボタン信号で、選択信号を１桁送出後に前記可聴音検出部でダイヤルトーンを所定時間検出しなかった場合は残りの選択信号をプッシュボタン信号で送出し、ダイヤルトーンを検出した場合は選択信号種別をダイヤルパルス信号に切り替えて最初から選択信号を送出する回線種別判断部と、選択信号送出完了後も引き続き、前記可聴音検出部で加入者線信号可聴音の監視の継続を行う監視継続部と、前記回線経由で情報を出力する情報出力部とさせるようにしたようにしたものである。
【００２２】
これによって、１回目の発信動作で受け付け可能な選択信号を確認してから発呼を行うので、通報装置が接続されている回線の受付可能な選択信号を事前に確認して、通報装置に設定する必要でなくなる。また通報先の電話番号の選択信号を送出後、監視継続部が可聴音検出部でリングバックトーンを確認することで、回線種別の自動判定が正しかったかどうかを再判定できる。また通報先ですぐにオフフックは行われた場合、可聴音検出部ではリングバックトーンやビジートーンやダイヤルトーン等の加入者信号が所定時間検出しない状態が成立し、加入者信号無音状態が続くので、通報先と繋がったと判定でき、情報出力部から情報を出力させることができる。そして監視継続部は、以降も引き続き可聴音検出部で加入者線信号可聴音の監視の継続を行なうことで、判定間違いを矯正することができる。
【発明の効果】
【００２３】
本発明の通報装置は、通報動作開始時及び通報中にも選択信号種別の自動判定を行うため、接続されている回線の選択信号種別が不明であっても、あるいは運用中に選択信号種別が途中で変更されても、１回の通報動作で発信が可能となる。
【００２４】
従って通報装置を設置する際には通報テストを行うが、選択信号種別不一致により発信ができないでテストが失敗するといったことがなくなるので、効率的な設置作業が可能となる。
【００２５】
また通報装置の設置先でのＩＳＤＮ回線からアナログ回線あるいはその逆といった契約変更があって選択信号種別が変わってしまったとしても、あるいは選択信号種別自信の契約変更があったとしても、通報装置の設定変更も不要で、１回目の動作で発信が可能となるため、遅延なく通報が可能となる。
【発明を実施するための最良の形態】
【００２６】
第１の発明は回線のループ閉成開放を行う回線インピーダンス制御部と、あらかじめ設定されている通報先電話番号の選択信号を送出するダイヤリング部と、加入者線信号可聴音であるリングバックトーンやダイヤルトーンやビジートーンを検出する可聴音検出部と、ダイヤリング部から選択信号種別をプッシュボタン信号で、選択信号を１桁送出後に前記可聴音検出部でダイヤルトーンを所定時間検出しなかった場合は残りの選択信号をプッシュボタン信号で送出し、ダイヤルトーンを検出した場合は選択信号種別をダイヤルパルス信号に切り替えて最初から選択信号を送出する回線種別判断部と、選択信号送出完了後も引き続き、可聴音検出部で加入者線信号可聴音の監視の継続を行う監視継続部と、回線経由で情報を出力する情報出力部ととしたことにより、１回目の発信動作で受け付け可能な選択信号を確認してから発呼を行うので、通報装置が接続されている回線の受付可能な選択信号を事前に確認して、通報装置に設定する必要でなくなる。
【００２７】
また通報先の電話番号の選択信号を送出後、監視継続部が可聴音検出部でリングバックトーンを確認することで、回線種別の自動判定が正しかったかどうかを再判定できる。また通報先ですぐにオフフックは行われた場合、可聴音検出部ではリングバックトーンやビジートーンやダイヤルトーン等の加入者信号が所定時間検出しない状態が成立し、加入者信号無音状態が続くので、通報先と繋がったと判定でき、情報出力部から情報を出力させることができる。
【００２８】
そして監視継続部は、以降も引き続き可聴音検出部で加入者線信号可聴音の監視の継続を行なうことで、判定間違いを矯正することができる。
【００２９】
第２の発明は特に、第１の発明の通報装置に、監視継続中に可聴音検出部でダイヤルトーンやビジートーンを検出したら通報を中断する監視継続部とを備え、万一、回線種別判断部で判定が間違った場合でも、無用に回線を補足し続けることがなくなる。
【００３０】
第３の発明は特に、第１の発明または第２の発明の通報装置に、リトライの通報の際には選択信号種別を変更して送出する回線種別判断部とを備え、回線種別判断部で万一判定が間違った場合でも、リトライの通報では正しい選択信号種別でダイヤルできる。
【００３１】
以下、本発明の実施の形態について、図面を参照しながら説明する。なお、この実施の形態によって本発明が限定されるものではない。
【００３２】
（実施の形態１）
図１において、回線１は通報装置２が接続されている電話回線であり、電話局の交換機経由で通報先と繋がる。
【００３３】
回線インピーダンス制御部３は回線１のループ閉成開放を行う。ダイヤリング部４は、選択信号種別をプッシュボタン信号またはダイヤルパルス信号で、あらかじめ設定されている通報先電話番号を送出する。
【００３４】
可聴音検出部５は加入者線信号可聴音を監視し、ＲＢＴ検出部５−１でリングバックトーンを、ＢＴ検出部５−２でビジートーンを、ＤＴ検出部５−３でダイヤルトーンをそれぞれ検出する。
【００３５】
情報出力部６は回線１経由で緊急コール、家屋への侵入検知、家屋、ビルに設置した火災やガス漏れなどの検知機器からの情報、若しくはその設備、機器、家電製品等の異常状態や動作状態又は病人、独居老人等の容態、様子等を音声メッセージ情報にして知らせる。
【００３６】
回線種別判断部７はダイヤリング部４で選択信号種別をプッシュボタン信号送出モードにして、あらかじめ設定されている通報先電話番号を１桁送出する。そして可聴音検出部５のＤＴ検出部５−３でダイヤルトーンを所定時間検出しなかった場合は、残りの電話番号をプッシュボタン信号で送出し、ダイヤルトーンを検出した場合は選択信号種別をダイヤルパルス信号送出モードに切り替えて最初から電話番号を送出するようにダイヤリング部４を制御する。
【００３７】
この回線種別判断部７は選択信号送出後に可聴音検出部５でリングバックトーンやビジートーンやダイヤルトーンをいずれも所定時間検出しなかった場合は、通報先でオフフックされたと暫定判断し、情報出力部６から音声メッセージ情報を出力させる。
【００３８】
この所定時間は、加入者信号の可聴音の中で一番長い周期となっているリングバックトーンの周期、３秒とする。この所定時間は、ここでは３秒とするが、リングバックトーンの休止時間２秒以上、あるいは選択信号送出後は交換機などの選択信号を受信終了判定するまでの時間を加味し音声メッセージの送信開始が遅くならない範囲で数秒延ばしても良い。
【００３９】
監視継続部８はダイヤリング部４で選択信号送出後に、可聴音検出部５でビジートーンやダイヤルトーンを検出した場合、通報先話中や選択信号種別違いあるいは交換機が受け付けない電話番号データを間違って通報先電話番号に設定した場合など、通報できない状態と判定し通報動作を終了する。
【００４０】
また監視継続部８は、音声メッセージ情報を送出中も引き続き、可聴音検出部５で加入者線信号可聴音の監視の継続を行い、監視継続中にリングバックトーンを検出したら再度、回線種別判断部７の判定を再開させ、情報出力部６からの情報出力を停止させる。
【００４１】
極性反転検出部９は回線１の極性反転を検出する。
【００４２】
通報先オフフック判定部１０はダイヤリング部４で選択信号送出後に極性反転検出部９で極性反転を検出した場合、通報先でオフフックされたと確定判断し、情報出力部６から音声メッセージ情報を送出させる。
【００４３】
以上のように構成された通報装置について、以下その動作、作用を説明する。
【００４４】
緊急事態が発生し、通報装置２が起動されると、まず回線インピーダンス制御部３により回線１のループの閉成を行われる。次にダイヤリング部４で選択信号種別をプッシュボタン信号送出モードにして、あらかじめ設定されている通報先電話番号を１桁送出する。
【００４５】
そして、可聴音検出部５のＤＴ検出部５−３でダイヤルトーンを所定時間検出しなかった場合は残りの電話番号をプッシュボタン信号で送出し、ダイヤルトーンを検出した場合は選択信号種別をダイヤルパルス信号送出モードに切り替えて最初から電話番号を送出する。
【００４６】
そして最後の桁まで、ダイヤリング部４から予め設定されている通報先電話番号の選択信号を送出終了すると、通報先の回線が空いていれば、回線１には交換機からリングバックトーンが送出される。
【００４７】
可聴音検出部５のＲＢＴ検出部５−１は、通報先を呼び出している期間送出されるリングバックトーンを検出し、回線種別判断部７は選択信号種別の判定が正しく行われたことを認識するとともに通報動作を継続する。
【００４８】
呼出しされた通報先で送受話器がオフフックされると、回線１が極性反転する場合は、極性反転検出部９からの極性反転出力により通報先オフフック判定部１０で着信応答を認識することができる。この場合は、すぐに通報先でオフフックされたと確定判断し、情報出力部４から音声メッセージ情報を出力させる。
【００４９】
このように着信応答時に極性反転が発生する場合は、通報先オフフックの状態がすぐに判定できるこの極性反転を検出することで、遅延なく情報を伝え始めることができる。
【００５０】
一方、通報装置が構内ＰＢＸ回線、ＩＳＤＮ回線、着信無料回線又は移動無線電話回線に接続されている場合やフリーダイヤルや１１９番等の発信側に課金されない通報先に通報する場合は、通報先オフフック時に回線１は極性反転せずに、リングバックトーンの送出停止が行なわれる。
【００５１】
すると可聴音検出部５のＲＢＴ検出部５−１はリングバックトーンの停止を回線種別判断部７では判定することにより、通報先の着信応答を認識し、情報出力部６から音声メッセージ情報を出力させる。
【００５２】
この時、監視継続部８は、回線種別判断部７で通報先オフフックと暫定判断とし、以降も引き続き可聴音検出部５で加入者線信号可聴音の監視の継続を行う。
【００５３】
一方、通報先話中や選択信号種別違い、及び通報先電話番号設定間違いの場合は選択信号送出直後に交換機から送出されるビジートーンあるいはダイヤルトーンを回線種別判断部７で検出すると、通報動作が中止され、以降は発呼リトライ処理動作となる。
【００５４】
また回線がＩＳＤＮ回線でダイヤルパルス設定となっているターミナルアダプタでも、最初の発呼動作で１桁目がプッシュボタン信号で、続けて１桁目から最後の桁までダイヤルパルス信号を送出し直すことになるが、ターミナルアダプタの種類によっては途中で選択信号種別が変わると正常に受け付けてくれない場合がある。
【００５５】
このような場合でも、リトライの通報の際には回線種別判断部７は、ダイヤリング部４で選択信号種別を最初からダイヤルパルス信号送出モードにして、あらかじめ設定されている通報先電話番号を１桁送出する。
【００５６】
すると可聴音検出部１２のＤＴ検出部５−３でダイヤルトーンを所定時間検出しないので、残りの電話番号をダイヤルパルス信号で送出することとなり、通常のダイヤリングと同じになるので、ターミナルアダプタは問題なく正常に受付てくれることとなる。
【００５７】
以上のように、本実施の形態においてダイヤリング部で選択信号種別をプッシュボタン信号で、選択信号を１桁送出後に可聴音検出部でダイヤルトーンを所定時間検出しなかった場合は残りの選択信号をプッシュボタン信号で送出し、ダイヤルトーンを検出した場合は選択信号種別をダイヤルパルス信号に切り替えて最初から選択信号送出後に、可聴音検出部でリングバックトーンを検出してその後リングバックトーンを検出しなくなった場合は情報出力部から情報を出力させ、選択信号送出後に可聴音検出部でリングバックトーンやビジートーンやダイヤルトーンを所定時間検出しなかった場合は情報出力部から情報を出力させる回線種別判断部と、回線種別判断部により情報出力部から情報を出力中には以降も引き続き、可聴音検出部で加入者線信号可聴音の監視の継続を行う監視継続部とを備え、監視継続部は監視継続中に可聴音検出部でリングバックトーンを検出したら、回線種別判断部の判定を再開させ、情報出力部からの情報出力を停止させるようにしたことにより、１回目の発信動作で受け付け可能な選択信号を確認してから発呼を行うので、通報装置が接続されている回線の受付可能な選択信号を事前に確認して、通報装置に設定する必要でなくなる。
【００５８】
また通報先の電話番号の選択信号を送出後、監視継続部が可聴音検出部でリングバックトーンを確認することで、回線種別の自動判定が正しかったかどうかを再判定できる。また通報先ですぐにオフフックは行われた場合、可聴音検出部ではリングバックトーンやビジートーンやダイヤルトーン等の加入者信号が所定時間検出しない状態が成立し、加入者信号無音状態が続くので、通報先と繋がったと判定でき、情報出力部から情報を出力させることができる。
【００５９】
そして監視継続部は、以降も引き続き可聴音検出部で加入者線信号可聴音の監視の継続を行なうことで、判定間違いを矯正することができる。
【００６０】
このように通報動作開始時及び通報中にも選択信号種別の自動判定を行うため、接続されている回線の選択信号種別が不明であっても、あるいは運用中に選択信号種別が途中で変更されても、１回の通報動作で発信が可能となる。
【産業上の利用可能性】
【００６１】
以上のように、本発明にかかる通報装置は、電話回線の選択信号種別や着信応答の認識が精度良く行なうことが可能となるので、通報装置が双方向の通信が可能である場合には、この通報装置を呼び出して状態の確認や情報の取得を行う呼出し装置やセンタ装置等の発信装置への用途にも適用できる。
【図面の簡単な説明】
【００６２】
【図１】本発明の実施の形態１における通報装置のブロック図
【図２】従来の通報装置のブロック図
【符号の説明】
【００６３】
１  回線
２  通報装置
３  回線インピーダンス制御部
４  ダイヤリング部
５  可聴音検出部
６  情報出力部
７  回線種別判断部
８  監視継続部
９  極性反転検出部
１０  通報先オフフック判定部
【図１】
2006237795.tif 000003
【図２】
2006237795.tif 000004